(57)【要約】【課題】被験者が簡便に、継続して、先入観なく日々の心の変化を表出し、記録することが可能であり、日々の傾向から被験者自身であっても自分の心の状態を理解する手がかり、つまり心理状態分析を支援する方法を提供すること。【解決手段】複数の非言語情報を同時に表示する表示ステップと、非言語情報のうちいずれかを選択する選択ステップと、選択された非言語情報から連想される言語情報及び感覚的情報の少なくともいずれか一方の情報を入力する入力ステップとからなることを特徴とする心理状態分析支援方法である。【選択図】図２
2009000154.tif 000002
【特許請求の範囲】
【請求項１】
複数の非言語情報を同時に表示する表示ステップと、
前記非言語情報のうちいずれかを選択する選択ステップと、
選択された前記非言語情報から連想される言語情報及び感覚的情報の少なくともいずれか一方の情報を入力する入力ステップとからなることを特徴とする心理状態分析支援方法。
【請求項２】
選択された前記非言語情報と、前記言語情報及び前記感覚的情報の少なくともいずれか一方の情報と、前記言語情報及び前記感覚的情報の少なくともいずれか一方の情報が入力された日時情報とを記憶するステップを有することを特徴とする請求項１に記載の心理状態分析支援方法。
【請求項３】
さらに、被験者に関するイベント情報を入力するイベント情報入力ステップを有することを特徴とする請求項１または２に記載の心理状態分析支援方法。
【請求項４】
さらに、計測した被験者の生体データを日時情報と共に記憶する生体データ採取ステップを有することを特徴とする請求項１〜３のいずれか一項に記載の心理状態分析支援方法。
【発明の詳細な説明】
【技術分野】
【０００１】
本発明は、心理状態分析支援方法に関するものである。
【背景技術】
【０００２】
従来、自分の心の状態、傾向を知るために、様々な装置、手法が提案されている（例えば、特許文献１〜９参照）。ここでは、被験者に対する面接、質問紙による方法が一般的であった。
【０００３】
【特許文献１】特開２００６−７５２９４号公報
【特許文献２】特開２００５−２２４３００号公報
【特許文献３】特開２００２−３０６４５９号公報
【特許文献４】特開平１１−２８５４８３号公報
【特許文献５】特開２００５−１１３２９号公報
【特許文献６】特開２００３−２９０１７６号公報
【特許文献７】特開２００５−１１３２９号公報
【特許文献８】特開２００３−２２５２２８号公報
【特許文献９】特開２００６−２９３８５５号公報
【発明の開示】
【発明が解決しようとする課題】
【０００４】
しかしながら、従来の方法、手順では、以下のような問題点がある。被験者は、自分の心の状態を知るための手続きが面倒である場合、負担感を抱く場合などは、回答を気軽に行うことができない。さらに、所定の方法を、毎日、継続して実行することは困難である。また、面接者の熟練度、スキル、被験者との相性によって、取得されたデータから判断される結果（効果）にばらつきを生ずることもある。
【０００５】
また、質問の意図を察知すると、質問された人は答えにくい場合がある。さらに、質問の意図がわかって答える回答には、自分で理解している自分しか表現できない。このため、自分でも気付いていない自分に気付くことはできない。加えて、質問の内容によって、被験者（利用者）から聞きだされる心理状態が限定されてしまう。また、日々の心の変化が捕らえにくいという問題もある。
【０００６】
本発明は、上記に鑑みてなされたものであって、被験者が簡便に、継続して、先入観なく日々の心の変化を表出し、記録することが可能であり、日々の傾向から被験者自身であっても自分の心の状態を理解する手がかり、つまり心理状態分析を支援する方法を提供することを目的とする。
【課題を解決するための手段】
【０００７】
上述した課題を解決し、目的を達成するために、本発明によれば、複数の非言語情報を同時に表示する表示ステップと、前記非言語情報のうちいずれかを選択する選択ステップと、選択された非言語情報から連想される言語情報及び感覚的情報の少なくともいずれか一方の情報を入力する入力ステップとからなることを特徴とする心理状態分析支援方法を提供できる。
【０００８】
また、本発明の好ましい態様によれば、選択された非言語情報と、言語情報及び感覚的情報の少なくともいずれか一方の情報と、言語情報及び感覚的情報の少なくともいずれか一方の情報が入力された日時情報とを記憶するステップを有することが望ましい。
【０００９】
また、本発明の好ましい態様によれば、さらに、被験者に関するイベント情報を入力するイベント情報入力ステップを有することが望ましい。
【００１０】
また、本発明の好ましい態様によれば、さらに、計測した被験者の生体データを日時情報と共に記憶する生体データ採取ステップを有することが望ましい。
【発明の効果】
【００１１】
本発明にかかる心理状態分析支援方法は、被験者が簡便に、継続して、先入観なく日々の心の変化を表出し、記録することが可能であり、日々の傾向から被験者自身であっても自分の心の状態を理解する手がかり、つまり心理状態分析を支援する方法を提供できるという効果を奏する。なお、心の状態とは、感情、嗜好、願望、忘れていた記憶などをいう。
【発明を実施するための最良の形態】
【００１２】
以下に、本発明にかかる心理状態分析支援方法の実施例を図面に基づいて詳細に説明する。なお、この実施例によりこの発明が限定されるものではない。
【実施例１】
【００１３】
図１は、本発明の実施例に係る心理状態分析支援方法を行うための心理状態分析支援装置の概略構成を示している。画像データベース１０３内には、複数の画像データが格納されている。制御部１０２は、画像データベース１０３内の複数の画像データのうちから所定の画像データを選択する。そして、表示部１０１は、選択した複数の画像データを同時に表示する。表示部１０１は、液晶ディスプレイ等を用いることができる。なお、画像データ、画像は、非言語情報に対応する。
【００１４】
被験者（不図示）は、表示部１０１に表示された複数の画像を任意に選択する。例えば、表示部１０１は、「建築物」、「動物」、「自然現象」、「文房具」、「風景」、「植物」の６枚の画像を表示している状態を考える。被験者は、直感的に、その中から一つの画像を選択する。選択は、表示画面に指、ペンでタッチするタッチパネル付きディスプレイ、画像に番号を付して、テンキーから番号を入力する構成などを用いることができる。記憶部１０４は、選択された画像を記憶する。
【００１５】
次に、記憶部１０４は、被験者により選択された画像を記憶する。表示部１０１は、被験者により選択された画像の印象を聞く。そして、被験者は、自分が選択した画像の印象を入力する。画像の印象は、感覚的情報に対応する。画像の印象は、直感的に画像から受けた印象を対になる語を両極にして数値化する方法を定め、５段階程度で選択する。対になる語とは、例えば、温かいと冷たい、高と低、陰と陽、動と静、明と暗、プラスとマイナス、黒と白、清と濁などである。「明と暗」を例にして、さらに具体的に説明する。直線状のスライダ表示の両端部にそれぞれ、「明」と「暗」という文字が表示されている。被験者は、画像から受けた印象（感覚的情報）を、スライダを直線上において移動させることで入力する。例えば、明と暗との中間の印象を受けたときは、スライダを直線部分の中間位置に移動させる。また、直感的に画像から受けた印象を色で表してもらう方法でも良い。記憶部１０４は、入力された画像の印象（感覚的情報）を記憶する。
【００１６】
また、制御部１０２は、言語情報を表示部１０１に表示させる。言語情報とは、例えば、「気になる」、「のどかな」、「明るい」、「愛らしい」、「静かな」等の言語をいう。このとき、言語情報は、選択された画像に関わらず固定の言語情報を表示すること、選択された画像により異なる言語情報を表示することのいずれでも良い。
【００１７】
被験者は、自らが選択した画像を見て、連想される言語情報を選択する。ここでは、被験者は、あまり考えることなく、直感的に言語情報を選択することが望ましい。記憶部１０４は、選択された言語情報を記憶する。
【００１８】
記憶部１０４は、被験者が選択した画像、被験者が入力した画像の印象、言語情報に加えて、被験者が画像を選択した日時情報、画像の印象を入力した日時情報も記録することができる。
【００１９】
ここで、被験者に関するイベント情報を入力部１０５から入力することもできる。イベント情報とは、例えば、「仕事が忙しい」、「楽しいことがあった」、「体調が良い」等である。入力部１０５は、例えばキーボードを用いることができる。入力されたイベント情報は、記憶部１０４に格納される。
【００２０】
記憶部１０４に格納される被験者が選択した画像、画像の印象、画像から連想した言語情報は、入力時の日付と時間を付して管理される。記憶部１０４に格納された上記被験者の各種データ（選択した画像、感覚的情報、言語情報など）は、制御部１０２で所定の表示に変換されて、表示部１０１に表示される。また、表示部１０１に表示された内容は、プリンタ１０６からプリントアウトすることもできる。所定の表示の例を以下に掲げる。
（１）日付（日時情報）、選択した画像、画像から連想した言葉、気になること（イベント情報）の有無と内容を時間軸に沿ってセットして表示する。
（２）画像の印象についての分析した傾向を表示する。
（３）画像から連想する言葉について分析した結果を表示する。
なお、各種データは、外部のコンピュータへ通信して分析、管理すること、ＵＳＢメモリ、ＭＯ等に記憶して他の装置において分析、管理することもできる。
【００２１】
（フローチャート）
次に、図２のフローチャートを参照して、上述の心理状態分析支援装置による心理状態分析支援方法について説明する。本例では、複数の被験者の心の情報を会社の出勤時に収集する場合を考える。
【００２２】
ステップＳ２００において、被験者は、表示部１０１のスタート画面に触る。ステップＳ２０１において、表示部１０１に複数、例えば６枚の画像（非言語情報）が表示される。ステップＳ２０１は、複数の非言語情報を同時に表示する表示ステップに対応する。また、画像に加えて、表示部１０１の氏名ゾーンには、複数の被験者の氏名が表示されている。ステップＳ２０２において、出勤してきた被験者は、表示部１０１の氏名ゾーンに表示されている自分の氏名の部分を触る（タッチする）。タッチされた氏名を認識できるように、タッチされた氏名表示は表示色が変化する。例えば、タッチする前は赤色で氏名表示されていたものがタッチされた後は黒色で氏名表示される。
【００２３】
ステップＳ２０３において、被験者の生体データを採取する。生体データの採取について説明する。従来、フィジカルな生体データ（心拍、血圧、発汗、体温等）やバイオケミカルな生体データ（唾液中のストレス物質量）などから心理状態を推定しようという試みもある。しかしながら、そのようなデータを解釈するのは困難であり、一義的に心理状態を説明できるものではない。
【００２４】
ここで、本実施例において、生体データも同時に蓄積すれば、被験者それぞれの生体データの傾向と心理状態を関連付けて意味づけをすることができる。このため、生体データを心理状態分析支援方法に役立てることができる。
【００２５】
ステップＳ２０３の生体データ採取ステップにおいては、さらに、計測した被験者の生体データを日時情報と共に記憶する。具体的には、被験者の生体データ、例えば唾液または血液からストレス物質の評価を行う。そして、この評価結果を日時情報と合わせて記憶する。唾液からストレスを測定する方法としては、例えば「ＣＯＣＯＲＯ  ＭＥＴＥＲ」（ニプロ社製）を用いることが出来る。
【００２６】
ストレス物質は、例えば、コルチゾール、クロモグラニンＡ、カテコールアミン（ドーパミン（ＤＡ）、エピネフリン（ＥＮ）、ノルエピネフリン（ＮＥ））、分泌型イムノグロブリンＡ（ｓＩｇＡ）、アミラーゼの少なくともいずれかひとつである。
【００２７】
ストレス物質の評価は、外部の演算装置（不図示）などを用いることができる。また、評価結果は、記憶部１０４に格納すること、外部の他の記憶装置に格納しておいて必要なときに制御部１０２と通信する事などのいずれでも良い。
【００２８】
ステップＳ２０４において、被験者は、６枚の画像の中から選択した画像をさわる。ステップＳ２０４は、非言語情報のうちいずれかを選択する選択ステップに対応する。
【００２９】
ステップＳ２０５において、表示部１０１は、選択した画像の印象（感覚的情報）を聞かれる。そして、被験者は、自分が選択した画像の印象を上述のようにスライダによる表示を用いて入力する。画像の印象は、直感的に画像から受けた印象を対になる語を両極にして数値化する方法を定め、５段階程度で選択する。対になる語とは、例えば、温かいと冷たい、高と低、陰と陽、動と静、明と暗、プラスとマイナス、黒と白、清と濁などである。また、直感的に画像から受けた印象を色で表してもらう方法でも良い。
【００３０】
ステップＳ２０６において、言語情報がリスト表示される。上述したように、言語情報は、選択された画像に関わらず固定の言語情報を表示すること、選択された画像により異なる言語情報を表示することのいずれでも良い。また、ステップＳ２０５の感覚的情報の入力と、後述するステップＳ２０７の言語情報の入力とは、少なくともいずれか一方の情報の入力で良い。好ましくは、感覚的情報と言語情報との両方の情報を入力することが望ましい。さらに、これらに限られず、画像から連想したことを、自由記述（入力）する方法でも良い。
【００３１】
ステップＳ２０７において、被験者は、表示部１０１に表示された言語情報を触ることで、選択、入力する。ステップＳ２０７は、選択された非言語情報から連想される言語情報を入力する入力ステップに対応する。ステップＳ２０８において、表示部１０１は、「気になることがあるか」について質問する表示を行う。「気になること」の内容は、イベント情報に対応する。ステップＳ２０８の判断結果が真（Ｙｅｓ）のとき、ステップＳ２０９において、被験者は入力部１０５から、イベント情報を入力する。ステップＳ２０９は、被験者に関するイベント情報を入力するイベント情報入力ステップに対応する。
【００３２】
イベント情報とは、上述したように、「仕事が忙しい」、「楽しいことがあった」、「体調が良い」等である。また、イベント情報は、言語情報としてリスト表示されているような予め準備された選択肢の中から選択すること、被験者が自由に記述することのいずれでも良い。そして、ステップＳ２１０において、スタート画面へ戻る。なお、さらに好ましくは、上述の手順において、選択した画像、入力した画像の印象、言語情報に加えて、画像を選択した日時情報、画像の印象を入力した日時情報を記録するステップを設けることが望ましい。
【００３３】
また、ステップＳ２０８の判断結果が偽（Ｎｏ）のとき、ステップＳ２１０において、スタート画面へ戻る。
【００３４】
また、スタート画面は、複数の画像が表示されていると共に、「履歴表示」のメニューも選択できるように構成されている。ステップＳ２１１において、被験者が「履歴表示」を選択する場合を考える。ステップＳ２１２において、所定の表示が行われる。所定の表示の例を以下に掲げる。
（１）日付、選択した画像、画像から連想した言葉、気になること（イベント情報）の有無と内容を時間軸に沿ってセットして表示する。
（２）画像の印象についての分析した傾向を表示する。
（３）画像から連想する言葉について分析した結果を表示する。
（１）〜（３）の履歴表示は、入力当日の履歴を含めた、その日から遡る入力結果を複数回分をまとめて表示する。この表示画面は、プリンタ１０６でプリントアウトすることもできる。
【００３５】
なお、画像の印象の分析例、画像に応じて選択した言語情報の分析例を簡単に説明する。
画像の印象の分析例を以下に掲げる。
（Ａ）上述の対になる語を両極にして数値化する方法で表現された印象を経時的な変化や、分布図などにより傾向を分析する。
（Ｂ）色で表現された画像から受けた印象を経時的な変化や、分布図などにより傾向を分析する。
（Ｃ）（Ａ）と（Ｂ）とを組み合わせて分析する。
【００３６】
また、画像から連想する言葉の分析例を以下に掲げる。
（Ｄ）自由記述の場合、使用されている言葉の頻度や、言葉の意味によるグルーピング、言葉の品詞によるグルーピングなどの言語分析をする。
（Ｅ）言葉リストの場合、選択された言葉の頻度や、言葉の意味によるグルーピング、言葉の品詞によるグルーピングなどの言語分析をする。
【００３７】
そして、ステップＳ２１３において、被験者は、所定の表示を閉じることで、ステップＳ２１０のスタート画面へ戻る。
【００３８】
上述の手順は、簡便であり、負担感が少ないため気軽に、毎日継続して行うことができる。また、質問者（面接者）が介在しないので、質問者の熟練度、スキル、被験者との相性に影響されることがない。このため、取得されたデータから判断される結果（効果）にばらつきを生ずることがない。
【００３９】
以上説明したように、本発明によれば、誰でもが手軽に直感的に自分自身の心の状態を記録することができる。これにより自分でも気付いていない自分に気付くことができるためのデータを収集できる。
【産業上の利用可能性】
【００４０】
以上のように、本発明にかかる心理状態分析支援方法は、簡便に心の状態を知るために情報を収集するときに有用である。
【図面の簡単な説明】
【００４１】
【図１】本発明の心理状態分析支援方法を行うための心理状態分析支援装置の概略構成を示す図である。
【図２】本発明の実施例に係る心理状態分析支援方法の手順を示すフローチャートである。
【符号の説明】
【００４２】
１０１  表示部
１０２  制御部
１０３  データベース
１０４  記憶部
１０５  入力部
１０６  プリンタ
【図１】
2009000154.tif 000003
【図２】
2009000154.tif 000004